(57)【要約】【課題】自然光を十分に取り入れ、なおかつ被写体に照射される自然光の偏りを低減できる撮影用の移動体を提供する。【解決手段】本発明は、撮影を行う撮影室２０、２１を有するトレーラーハウス１を含む。撮影室２０、２１は、天井部に複数の採光窓５０〜５３、９０、９１を有している。採光窓は、平面から見て走行方向Ｘに向いた中心線Ｃの左右の両側にそれぞれ設けられている。各採光窓には、採光量を変更可能な遮光部材６０が設けられている。撮影室２０、２１の間には、多目的空間１００が設けられている。多目的空間１００には、撮影室２０、２１を繋ぐ通路１１１が設けられ、通路１１１の天井部には、採光窓１２３が設けられている。多目的空間１００の上部には、ロフト２３が設けられている。【選択図】図３
2015074424.tif 000002
【特許請求の範囲】
【請求項１】
移動体であって、
撮影を行う１または複数の撮影室を有し、
前記撮影室は、天井部に複数の採光窓を有し、
前記各採光窓には、採光量を変更可能な遮光部材が設けられている、移動体。
【請求項２】
前記採光窓は、平面から見て走行方向に向いた中心線の左右の両側にそれぞれ設けられている、請求項１に記載の移動体。
【請求項３】
前記採光窓は、前記走行方向の中心線に対し左右対称に設けられている、請求項２に記載の移動体。
【請求項４】
前記撮影室の天井部における前記採光窓の開口率は、３％以上である、請求項１〜３のいずれかに記載の移動体。
【請求項５】
前記採光窓は、前記中心線に対する左右方向の外側が低くなるように傾斜している、請求項１〜４のいずれかに記載の移動体。
【請求項６】
前記撮影室の走行方向の隣に他の空間を有する、請求項１〜５のいずれかに記載の移動体。
【請求項７】
前記複数の撮影室は、他の空間を挟んで走行方向の前後に設けられている、請求項１〜６のいずれかに記載の移動体。
【請求項８】
前記他の空間には、前記撮影室を繋ぐ通路が設けられ、
前記通路の天井部には、採光窓が設けられている、請求項７に記載の移動体。
【請求項９】
前記他の空間の上部には、ロフトが設けられ、
前記ロフトは、隣接する撮影室に開口している、請求項６〜８のいずれかに記載の移動体。
【請求項１０】
前記各撮影室には、移動体の外部との間で出入りするためのドアが設けられている、請求項１〜９のいずれかに記載の移動体。
【発明の詳細な説明】
【技術分野】
【０００１】
本発明は、撮影用の移動体に関する。
【背景技術】
【０００２】
従来より、子供写真や家族写真を撮影するサービスは、屋内施設のいわゆる写真スタジオで提供されている。写真スタジオでは、撮影に必要な光を得るためにストロボ光を用いて撮影が行われている。
【先行技術文献】
【特許文献】
【０００３】
【特許文献１】特開２００７−４２０７８号公報
【発明の概要】
【発明が解決しようとする課題】
【０００４】
ところで、近年、撮影光として自然光を用いることが注目されている。自然光を用いた場合、ストロボ光を用いた場合に比べて、日常的なナチュラルな写真を撮影することができる。
【０００５】
しかしながら、屋内の従来の写真スタジオで自然光を十分に取り入れ、写真撮影を行うことは難しい。特に、写真スタジオは、集客に有利なショッピングモールなどの大型の施設に設けられることが多く、自然光が取り入れられるように施設を改造することは現実的に非常に難しい。また、自然光を取り入れて写真撮影を行う場合、太陽の位置に起因して、例えば北半球では南側から入る光が強く、北側から入る光が弱くなるため、被写体に均一に光を照射することが難しい。被写体への光の照射量に大きな偏りができると、例えば明度の差が大きすぎて強い影ができるため、クオリティの高い写真を撮影することは難しくなる。
【０００６】
本発明はかかる点に鑑みてなされたものであり、自然光を十分に取り入れ、なおかつ被写体に照射される自然光の偏りを低減できる撮影用の移動体を提供することをその目的とする。
【課題を解決するための手段】
【０００７】
上記目的を達成するための本発明は、移動体であって、撮影を行う１または複数の撮影室を有し、前記撮影室は、天井部に複数の採光窓を有し、前記各採光窓には、採光量を変更可能な遮光部材が設けられている、移動体を含む。
【０００８】
本発明によれば、自然光を十分に取り入れ、なおかつ被写体に照射される自然光の偏りを低減できる。
【０００９】
前記採光窓は、平面から見て走行方向に向いた中心線の左右の両側にそれぞれ設けられていてもよい。
【００１０】
前記採光窓は、前記走行方向の中心線に対し左右対称に設けられていてもよい。
【００１１】
前記撮影室の天井部における前記採光窓の開口率は、３％以上であってもよい。
【００１２】
前記採光窓は、前記中心線に対する左右方向の外側が低くなるように傾斜していてもよい。
【００１３】
上記移動体は、前記撮影室の走行方向の隣に他の空間を有していてもよい。
【００１４】
前記複数の撮影室は、他の空間を挟んで走行方向の前後に設けられていてもよい。
【００１５】
前記他の空間には、前記撮影室を繋ぐ通路が設けられ、前記通路の天井部には、採光窓が設けられていてもよい。
【００１６】
前記他の空間の上部には、ロフトが設けられ、前記ロフトは、隣接する撮影室に開口していてもよい。
【００１７】
前記各撮影室には、ハウスの外部との間で出入りするためのドアが設けられていてもよい。
【発明の効果】
【００１８】
本発明によれば、自然光を十分に取り入れ、なおかつ被写体に照射される自然光の偏りを低減できるので、クオリティの高いナチュラルな写真を撮影できる。
【図面の簡単な説明】
【００１９】
【図１】トレーラーハウスの側面図である。
【図２】トレーラーハウスの前面図である。
【図３】トレーラーハウスの間取り図である。
【図４】採光窓の取り付け部分の断面図である。
【図５】トレーラーハウスの縦断面の説明図である。
【図６】平面から見たトレーラーハウスの設置向きを示す説明図である。
【図７】撮影室での撮影例を示す説明図である。
【図８】乳幼児の俯瞰写真の撮影例を示す説明図である。
【図９】撮影室が一つの場合のトレーラーハウスの一例を示す間取り図である。
【発明を実施するための形態】
【００２０】
以下、図面を参照して、本実施の形態にかかる移動体の一例としてのトレーラーハウスについて説明する。図１は、トレーラーハウスの側面図であり、図２は、トレーラーハウスの前面図である。
【００２１】
トレーラーハウス１は、ハウス部１０と、ハウス部１０の下部に取り付けられハウス部１０を移動可能とする車輪１１と、トラックなどの牽引車に連結するための連結部１２を備えている。
【００２２】
ハウス部１０は、走行方向Ｘに長い直方体状に形成され、内部に複数の室を備えている。例えばハウス部１０は、図３に示すように２つの撮影室２０、２１と、事務室２２と、ロフト２３を備えている。
【００２３】
第１の撮影室２０は、ハウス部１０の最後部に位置し、３つの外壁３０、３１、３２と、１つの隔壁３３を有している。後方側の外壁３０には、窓４０が設けられている。走行方向Ｘに直角の左右方向の一方の外壁３１には、ハウス部１０の外部から出入りするためのドア４１が設けられている。ドア４１は、例えば両開きのものであり、撮影用の機材の搬入用としても利用できる。外壁３２には、例えば窓が設けられておらず、撮影の背景として利用しやすくなっている。例えば外壁３２や隔壁３３の内側面の少なくとも一部は、取り外し可能になっていてもよく、撮影の背景となる好みの壁紙に簡単に交換できる。
【００２４】
第１の撮影室２０の天井部には、複数、例えば４つの採光窓５０、５１、５２、５３が設けられている。採光窓５０〜５３は、平面から見て走行方向Ｘに向いた中心線Ｃの左右の両側にそれぞれ設けられている。例えば採光窓５０、５１が、走行方向Ｘの前方に対し左側に、前後に並べて配置されており、採光窓５２、５３が、走行方向Ｘの前方に対し右側に、前後に並べて配置されている。採光窓５０〜５３は、中心線Ｃに対し左右対称に設けられている。また、採光窓５０〜５３は、例えば四角形状に形成され、平面から見たときの撮影室２０の天井部における全採光窓５０〜５３のトータルの開口率が、５％以上、好ましくは１０％以上、さらに好ましくは２０％以上になる大きさに形成されている。
【００２５】
図１及び図４に示すように第１の撮影室２０の天井部は、ハウス部１０の屋根の傾斜に沿って、中心線Ｃの左右方向の外側が低くなるように傾斜しており、採光窓５０〜５３は、この傾斜面に形成されている。よって、採光窓５０、５１は、走行方向Ｘの前方に対し左側からの自然光を取り入れやすくなっており、採光窓５２、５３は、走行方向Ｘの前方に対し右側からの自然光を取り入れやすくなっている。
【００２６】
図４に示すように各採光窓５０〜５３には、採光量を変更可能な遮光部材６０が設けられている。例えば遮光部材６０には、各採光窓５０〜５３に対し取り外し自在な遮光シートが用いられている。なお、第１の撮影室２０の他の窓４０にも、カーテンやブラインドなどの遮光部材が設けられている。
【００２７】
図３に示すように第２の撮影室２１は、ハウス部１０の最前部に位置し、３つの外壁７０、７１、７２と、１つの隔壁７３を有している。前方側の外壁７０には、窓８０が設けられている。走行方向Ｘの左右方向の一方の外壁７１には、ハウス部１０の外部から出入りするためのドア８１が設けられている。外壁７２には、例えば窓が設けられておらず、撮影の背景として利用しやすくなっている。例えば外壁７２や隔壁７３の内側面の少なくとも一部は、取り外し可能になっていてもよく、撮影の背景となる好みの壁紙に簡単に交換できる。
【００２８】
第２の撮影室２１の天井部には、複数、例えば２つの採光窓９０、９１が設けられている。採光窓９０、９１は、平面から見て中心線Ｃの左右の両側に一つずつ設けられている。採光窓９０、９１は、中心線Ｃに対し左右対称の位置に設けられている。採光窓９０、９１は、四角形状に形成され、平面から見たときの撮影室２１の天井部における全採光窓９０、９１のトータルの開口率が、５％以上、好ましくは１０％以上、さらに好ましくは２０％以上になる大きさに形成されている。
【００２９】
図１、図２及び図４に示すように撮影室２１の天井部は、ハウス部１０の屋根の傾斜に沿って、中心線Ｃの左右方向の外側が低くなるように傾斜しており、採光窓９０、９１は、この傾斜面に形成されている。よって、採光窓９０は、走行方向Ｘの前方に対し左側からの自然光を取り入れやすくなっており、採光窓９１は、走行方向Ｘの前方に対し右側からの自然光を取り入れやすくなっている。
【００３０】
図４に示すように各採光窓９０、９１には、上述の採光窓５０〜５３と同様に、採光量を変更可能な遮光部材６０が設けられている。なお、第２の撮影室２１の他の窓８０にも、カーテンやブラインドなどの遮光部材が設けられている。
【００３１】
図３に示すようにハウス部１０の第１の撮影室２０と第２の撮影室２１との間には、他の空間としての多目的空間１００が設けられている。多目的空間１００は、例えば事務室２２、トイレ１１０、通路１１１、階段１１２及びロフト２３を有している。
【００３２】
通路１１１は、撮影室２０、２１を走行方向Ｘに繋いでいる。通路１１１の外壁１２０には、２つの窓１２１、１２２が設けられ、さらに天井部には、採光窓１２３が設けられている。これによって、通路１１１においても自然光による撮影が可能になっている。
【００３３】
通路１１１は、階段１１２によってロフト２３に通じている。ロフト２３は、事務室２２とトイレ１１０の上部に形成されている。ロフト２３の外壁１３０には、窓１３１が形成されている。ロフト２３の第２の撮影室２１側には隔壁がなく、図５に示すように第２の撮影室２１の上部に開口している。このロフト２３から、第２の撮影室２１の被写体を上から撮影することができる。
【００３４】
図３に示すように事務室２２とトイレ１１０には、通路１１１に対し開閉するドア１４０、１４１が設けられている。また、事務室２２とトイレ１１０には、それぞれ窓１４２、１４３が設けられている。
【００３５】
その他、トレーラーハウス１は、設置する際に取り付ける附属品としてのウッドデッキやベランダなどを備えていてもよい。
【００３６】
次に、以上のように構成されたトレーラーハウス１の使用方法を説明する。上記トレーラーハウス１は、例えば撮影の出張サービスや、短期から長期にわたる撮影店舗の開業を行う際に用いられる。
【００３７】
先ずトレーラーハウス１を所定の土地に設置する。この際、自然光がより多く撮影室２０、２１に入るように、トレーラーハウス１の設置位置、設置向きを調整してもよい。例えば図６に示すようにトレーラーハウス１の中心線Ｃの右側の側面が南を向くように設置する。
【００３８】
次に、各撮影室２０、２１において撮影サービスを提供する。各撮影室２０、２１では、必要に応じて、撮影テーマに応じた内装やインテリアを設定する。例えば外壁３２、７２、隔壁３３、７３等の内壁面の壁紙を交換する。また、自然光が、撮影室２０、２１の被写体に対しより均一に照射されるように調整する。例えば図６に示すようにトレーラーハウス１の南側から入射する自然光が相対的に強すぎる場合には、トレーラーハウス１の南側にある中心線Ｃに対して右側の採光窓５２、５３、９１を遮光部材６０により遮光する。この入射する自然光の強さの調整は、時間や季節、その日の天気に応じて適宜行う。
【００３９】
そして、図７に示すように例えば天井部の採光窓５０、５１や側壁の窓４０から入る自然光を用いて被写体Ａを撮影する。
【００４０】
各撮影室２０、２１の撮影は独立して行い、撮影室２０、２１への出入りは、各ドア４１、８１を通じて行う。また、必要に応じて通路１１１においても撮影を行う。
【００４１】
また、第２の撮影室２１では、顧客の希望に応じて、床に被写体を寝かせその周りに装飾を施す、いわゆる俯瞰写真の撮影を行う。この際、撮影者は、ロフト２３に上がり、図８に示すようにロフト２３から第２の撮影室２１の被写体Ａを上から撮影する。
【００４２】
本実施の形態によれば、移動自在なトレーラーハウス１に撮影室２０、２１を設けているので、撮影室２０、２１を自然光を取り入れやすい位置や向きに設置できる。また、撮影室２０、２１の天井部に複数の採光窓５０〜５３、９０、９１を設けているので、多方向からの自然光を取り入れることができる。よって、撮影に必要な十分な自然光を取り入れることができる。また、各採光窓５０〜５３、９０、９１に遮光部材６０を設けているので、トレーラーハウス１の設置方向や設置環境等に応じて、各採光窓を通過する光量を調整し、被写体に照射される自然光の偏りを低減できる。したがって、本実施の形態によれば、自然光を十分に取り入れ、なおかつ被写体に照射される自然光の偏りを低減できるので、クオリティの高いナチュラルな写真を撮影できる。
【００４３】
また、トレーラーハウス１は、移動自在であるので、トレーラーハウス１を、予め各採光窓の遮光により自然光の偏りを調整しやすい向きに設置することもできる。例えば、図６に示したようにトレーラーハウス１の前方に対し右側の採光窓５２、５３、９１のある側面が、光が強い南側に向くようにトレーラーハウス１を設置し、当該採光窓５２、５３、９１を遮光部材６０により適宜遮断することにより光量の偏りを調整する。こうすることにより、撮影室２０、２１に入射する光量の偏りを制御しやすくなり、トレーラーハウス１の設置向きと各採光窓の遮光の両方を用いて、被写体に照射される自然光の偏りを効果的に低減することができる。また、トレーラーハウス１は、ビル等の写真スタジオに比べて、開業費用や維持費が比較的安価であり、コスト面で有利である。また、ビル等の写真スタジオは、一度開業すると容易に場所を移動できないが、トレーラーハウス１は、集客の見込まれる場所に移動することができるので、営業面でも有利である。
【００４４】
また、本実施の形態では、撮影室２０、２１の天井部の中心線Ｃを挟んだ両側に採光窓５０〜５３、９０、９１をそれぞれ設けているので、多方向からの自然光をより効率的に取り入れることができる。
【００４５】
本実施の形態において、撮影室２０、２１の採光窓の開口率が、３％以上に設定されているので、撮影するために十分な自然光を取り入れることができる。
【００４６】
各撮影室２０，２１の採光窓５０〜５３、９０、９１は、走行方向Ｘの中心線Ｃに対し左右対称に設けられているので、例えばトレーラーハウス１をどの向きに設置しても偏りの少ない一定量以上の自然光を取り入れることができる。
【００４７】
採光窓５０〜５３、９０、９１は、中心線Ｃに対する左右方向の外側が低くなるように傾斜しているので、自然光を効率的に取り入れることができる。
【００４８】
また、本実施の形態では、複数の撮影室２０、２１を有しているので、各撮影室で同時期に撮影することができ、撮影サービスを効率的に行うことができる。
【００４９】
撮影室２０、２１は、他の多目的空間１００を挟んで走行方向Ｘの前後に設けられているので、各撮影室２０、２１から多目的空間１００へのアクセスが容易となり、多目的空間１００の事務室２２やトイレ１１０を利用しやすくなる。また、本実施の形態では、撮影室２０、２１が最後部と最前部にあるため、外壁の窓４０、８１からも自然光を採光できる。
【００５０】
多目的空間１００に撮影室２０、２１を繋ぐ通路１１１が設けられ、通路１１１の天井部にも採光窓１２３が設けられているので、通路１１１でも自然光による撮影を行うことができる。これにより撮影サービスのバリエーションを増やすことができる。
【００５１】
多目的空間１００の上部にロフト２３が設けられ、ロフト２３は、隣接する撮影室２１に開口しているので、撮影室２１の被写体を上から撮影することができる。これにより、いわゆる俯瞰写真の撮影を、脚立やクレーンを用いることなく容易に行うことができる。
【００５２】
各撮影室２０、２１には、ハウス部１０の外部との間で出入りするためのドア４１、８１が設けられているので、各撮影室２０、２１から直接出入りすることができ、撮影サービスを円滑かつ効率的に行うことができる。
【００５３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５４】
例えば上記実施の形態における撮影室２０、２１は、それぞれ４つと２つの採光窓を備えていたが、それらの数はこれに限られず任意に選択できる。また、採光窓の配置も、中心線Ｃに対し左右対称であったが、左右非対称であってもよい。採光窓の構成もこれにかぎられず、例えば天井がガラス製になっていることにより形成されていてもよい。さらに、採光窓は、中心線Ｃに対し左右に設けられていたが、これに限られない。よって、採光窓が中心線Ｃ上に走行方向に並べて設けている場合にも本発明は適用できる。採光窓に取り付けられた遮光部材６０は、採光量を変更可能なものであれば、ブラインドなどの他の構造のものでもよい。また、上記実施の形態では、採光窓が、外側が低くなるように傾斜していたが、平坦に取り付けられていてもよい。
【００５５】
上記実施の形態において、２つの撮影室２０、２１が設置されていたが、図９に示すように１つであってもよい。かかる場合、上記実施の形態と同様に、撮影室２１に隣接する多目的空間１１０にロフト２３が設けられ、ロフト２３が撮影室２１に開口していてもよい。また、撮影室の数は、３つ以上であってもよい。撮影室２０、２１は、多目的空間１００を挟んで走行方向Ｘの前後に設けられていたが、他の並び順であってもよい。また、多目的空間１００がなくてもよい。また、多目的空間１００の構成は、上記実施の形態に限られない。例えば多目的空間１００には撮影室２０、２１を繋ぐ通路１１１が設けられていたが、通路１１１はあってもなくてもよい。また、ロフト２３もあってもなくてもよい。また、撮影室２０、２１の構成も上記実施の形態に限られない。各撮影室２０、２１にドア４１、８１が設けられていたが、なくてもよい。また、トレーラーハウス１では、写真撮影のみならず動画の撮影を行うようにしてもよい。また、本発明は、トレーラーハウス以外の移動体であってもよく、非自走式のもののみならず、例えばバスやトラックなどの自走式のものを改造したものであってもよい。
【産業上の利用可能性】
【００５６】
本発明は、自然光を十分に取り入れ、なおかつ被写体に照射される自然光の偏りを低減する撮影用の移動体を提供する際に有用である。
【符号の説明】
【００５７】
１  トレーラーハウス
１０  ハウス部
１１  車輪
１２  連結部
２０、２１  撮影室
２３  ロフト
５０〜５３、９０、９１  採光窓
６０  遮光部材
１００  多目的空間
１１１  通路
１２３  採光窓
Ａ  被写体
Ｃ  中心線
Ｘ  走行方向
【図１】
2015074424.tif 000003
【図２】
2015074424.tif 000004
【図３】
2015074424.tif 000005
【図４】
2015074424.tif 000006
【図５】
2015074424.tif 000007
【図６】
2015074424.tif 000008
【図７】
2015074424.tif 000009
【図８】
2015074424.tif 000010
【図９】
2015074424.tif 000011